(57)【要約】【課題】着座者に快適な使用感を与えることができる椅子の提供。【解決手段】椅子Ｃは、脚部１と、脚部１に支持される座部２および背凭れ部３と、背凭れ部３に設けられるランバーサポート部４と、を備える。そして、ランバーサポート部４が、背凭れ部３の表面側に露出して設けられたサポート部４２と、背凭れ部３に設けられた、サポート部４２を支持する支持部４１と、着座者の前後傾動作に応じて、サポート部４２における少なくとも着座者と接触する部分を、支持部４１に対して上下に相対移動させるスライド部と、を備える。【選択図】図２
2020089693.tif 000002
【特許請求の範囲】
【請求項１】
脚部と、前記脚部に支持される座部および背凭れ部と、前記背凭れ部に設けられるランバーサポート部と、を備える椅子であって、
前記ランバーサポート部が、
前記背凭れ部の表面側に露出して設けられたサポート部と、
前記背凭れ部に設けられた、前記サポート部を支持する支持部と、
着座者の前後傾動作に応じて、前記サポート部における少なくとも前記着座者と接触する部分を、前記支持部に対して上下に相対移動させるスライド部と、
を備えることを特徴とする、椅子。
【請求項２】
請求項１に記載の椅子であって、
前記ランバーサポート部が、
前記サポート部と前記支持部のうちの少なくとも一方に設けられた磁石、
を備え、
前記サポート部と前記支持部とが、前記背凭れ部を挟んで対向配置されて、前記磁石の磁力によって互いに連結される、
ことを特徴とする、椅子。
【請求項３】
請求項１または２に記載の椅子であって、
前記サポート部が、
前記着座者と接触するように設けられた本体部と、
前記本体部と前記支持部の間に介在し、前記支持部と連結される取付部と、
を備え、
前記スライド部が、前記本体部を前記取付部に対して上下に相対移動させる、
ことを特徴とする、椅子。
【請求項４】
請求項３に記載の椅子であって、
前記ランバーサポート部が、
前記取付部と前記支持部のうちの少なくとも一方に設けられた磁石、
を備え、
前記取付部と前記支持部とが、前記背凭れ部を挟んで対向配置されて、前記磁石の磁力によって互いに連結される、
ことを特徴とする、椅子。
【請求項５】
請求項３または４に記載の椅子であって、
前記スライド部が、
前記本体部の前記取付部に対する相対位置を基準位置に復帰させる方向に付勢する付勢部、
を備えることを特徴とする、椅子。
【請求項６】
請求項３から５のいずれかに記載の椅子であって、
前記取付部の前記支持部に対する相対位置を規制する位置規制部、
を備えることを特徴とする、椅子。
【請求項７】
請求項１から６のいずれかに記載の椅子であって、
前記支持部の前記背凭れ部に対する取付け位置を変更することができる、
ことを特徴とする、椅子。
【発明の詳細な説明】
【技術分野】
【０００１】
本発明は、着座者の腰部を支えるランバーサポート部を備える椅子に関する。
【背景技術】
【０００２】
近年では、椅子、特に、長時間の着座が想定される事務用椅子などにおいて、着座者の腰部への負担を軽減するために、腰部を支えるランバーサポート部が設けられることが多くなってきている。
【０００３】
例えば、特許文献１には、ランバーサポート部を設けた椅子が開示されている。ここに開示されているランバーサポート部は、背凭れの表面側に配置される腰当てパッドと、背凭れの背面側に配置される背面フレームとが、背凭れの生地を挟んで対向配置されて、各々に設けられた磁石の磁力によって連結されてなる。このランバーサポート部によると、着座者は、腰当てパッドおよび背面フレームを掴んで背凭れの生地に沿って適宜に移動させることによって、自分の好きな位置にランバーサポート部を配置することができる。
【先行技術文献】
【特許文献】
【０００４】
【特許文献１】特許４８２８５３０号
【発明の概要】
【発明が解決しようとする課題】
【０００５】
ところで、椅子に座っている着座者が背凭れにもたれかかって後傾動作を行ったとき、着座者の腰部は背凭れに対して相対的に位置ずれする。この位置ずれは、シンクロロッキング機構が設けられている椅子において、特に顕著に発生する。すなわち、シンクロロッキング機構が設けられている椅子の場合、背凭れのロッキング動作に応じて、座部の後端側が下方に沈み込むように姿勢変更されるため、着座者の腰部は、背凭れに対して相対的に下方に比較的大きく位置ずれする。このときに、着座者は上衣のめくれ上がりやこすれ等といった不快感を覚えることがある。
【０００６】
特許文献１に開示されている椅子においては、着座者の腰部に、ランバーサポート部の腰当てパッドが直にあたるようになっている。このような椅子において、着座者が背凭れにもたれかかって後傾動作を行い、着座者の腰部が背凭れに対して相対的に位置ずれすると、着座者の腰部に追従して、腰当てパッドが背凭れに対して位置ずれする。このとき、背凭れの背面側に配置されている背面フレームが、腰当てパッドの移動に追従できずに落下してしまうことがある。背凭れにもたれかかる度に腰当てパッドが落下するようでは、着座者は快適な使用感を得ることができない。
【０００７】
本発明は、上記の事情に鑑みてなされたものであり、着座者に快適な使用感を与えることができる椅子の提供を目的としている。
【課題を解決するための手段】
【０００８】
本発明は、かかる目的を達成するために、次のような手段を講じたものである。
【０００９】
すなわち、本発明は、
脚部と、前記脚部に支持される座部および背凭れ部と、前記背凭れ部に設けられるランバーサポート部と、を備える椅子であって、
前記ランバーサポート部が、
前記背凭れ部の表面側に露出して設けられたサポート部と、
前記背凭れ部に設けられた、前記サポート部を支持する支持部と、
着座者の前後傾動作に応じて、前記サポート部における少なくとも前記着座者と接触する部分を、前記支持部に対して上下に相対移動させるスライド部と、
を備えることを特徴とする。
【００１０】
この構成によると、着座者が前後傾動作を行ったときに、サポート部における少なくとも着座者と接触する部分が、着座者に追従して、支持部に対して上下に相対移動する。このため、着座者が、前後傾動作を行う際に、上衣のめくれ上がりやこすれ等といった不快感を覚えることがないばかりか、常に腰部が支えられているという安心感を得ることができる。また、支持部が背凭れ部に対して位置ずれを起こして落下するといった事態も生じない。したがって、着座者は快適な使用感を得ることができる。
【００１１】
好ましくは、前記椅子において、
前記ランバーサポート部が、
前記サポート部と前記支持部のうちの少なくとも一方に設けられた磁石、
を備え、
前記サポート部と前記支持部とが、前記背凭れ部を挟んで対向配置されて、前記磁石の磁力によって互いに連結される、
ことを特徴とする。
【００１２】
この構成によると、サポート部が、背凭れ部に設けられた支持部に対して、磁石の磁力によって連結され、これによってサポート部が支持部に支持されるので、サポート部を椅子に対して自由に着脱することができる。
【００１３】
好ましくは、前記椅子において、
前記サポート部が、
前記着座者と接触するように設けられた本体部と、
前記本体部と前記支持部の間に介在し、前記支持部と連結される取付部と、
を備え、
前記スライド部が、前記本体部を前記取付部に対して上下に相対移動させる、
ことを特徴とする。
【００１４】
この構成によると、本体部が取付部に対して上下に相対移動することによって、本体部が支持部に対して上下に相対移動する。したがって、スライド部を実現するための構成を、サポート部に完結的に設けることができる（すなわち、サポート部から支持部に跨がって設ける必要がない）ので、ランバーサポート部の構成を簡易なものとすることができる。
【００１５】
好ましくは、前記椅子において、
前記ランバーサポート部が、
前記取付部と前記支持部のうちの少なくとも一方に設けられた磁石、
を備え、
前記取付部と前記支持部とが、前記背凭れ部を挟んで対向配置されて、前記磁石の磁力によって互いに連結される、
ことを特徴とする。
【００１６】
この構成によると、サポート部が備える取付部が、背凭れ部に設けられた支持部に対して、磁石の磁力によって連結され、これによってサポート部が支持部に支持される。したがって、サポート部を椅子に対して自由に着脱することができる。
【００１７】
好ましくは、前記椅子において、
前記スライド部が、
前記本体部の前記取付部に対する相対位置を基準位置に復帰させる方向に付勢する付勢部、
を備えることを特徴とする。
【００１８】
この構成によると、例えば後傾姿勢にあった着座者が、一時的に本体部から離れつつ上体を起こした場合等に、本体部、すなわち、着座者に追従することによって基準位置からずれた位置に移動していた本体部が、付勢部の付勢力を受けて基準位置に復帰する。したがって、着座者が意識せずとも、本体部が常に適切な位置に配置されることとなり、着座者の使用感がさらに向上する。
【００１９】
好ましくは、前記椅子において、
前記取付部の前記支持部に対する相対位置を規制する位置規制部、
を備えることを特徴とする。
【００２０】
この構成によると、取付部の支持部に対する相対位置が規制されるので、本体部が取付部に対して上下に相対移動したとき等に、本体部に追従して取付部が支持部に対して位置ずれを生じる、といった事態を回避することができる。
【００２１】
好ましくは、前記椅子において、
前記支持部の前記背凭れ部に対する取付け位置を変更することができる、
ことを特徴とする。
【００２２】
この構成によると、着座者の腰の位置に応じた適宜の位置に支持部を取り付けることができるので、着座者の体格に応じた位置にランバーサポート部を配置することができる。したがって、どのような体格の着座者にも、快適な使用感を与えることができる。
【発明の効果】
【００２３】
本発明によると、着座者に快適な使用感を与えることができる椅子が得られる。
【図面の簡単な説明】
【００２４】
【図１】本発明の実施形態に係る椅子を前側から見た斜視図。
【図２】該椅子を後側から見た斜視図。
【図３】ランバーサポート部を後側から見た図。
【図４】ランバーサポート部の側面図。
【図５】サポート部の着脱の態様を示す斜視図。
【図６】サポート部を着脱の態様を示す側面図。
【図７】ベルト部の背枠に対する取り付けの態様を説明するための図。
【図８】支持部の取り付け位置を変更する態様を説明するための図。
【図９】サポート部を後側から見た斜視図。
【図１０】サポート部の分解図。
【図１１】本体部が取付部に対して上下に相対移動する様子を示す図。
【図１２】付勢部を説明するための模式図。
【図１３】ランバーサポート部の動作を説明するための模式図。
【図１４】ランバーサポート部の動作を説明するための模式図。
【図１５】第１変形例に係るランバーサポート部の側面図。
【図１６】第２変形例に係るランバーサポート部の側面図。
【図１７】第３変形例に係るランバーサポート部の側面図。
【発明を実施するための形態】
【００２５】
以下、本発明の実施形態について、図面を参照しつつ説明する。
【００２６】
＜１．全体構成＞
実施形態に係る椅子の全体構成について、図１、図２を参照しながら説明する。図１は、実施形態に係る椅子Ｃを前側から見た斜視図である。図２は、椅子Ｃを後側から見た斜視図である。
【００２７】
椅子Ｃは、脚部１と、脚部１の上方に水平旋回可能に支持された座部２および背凭れ部３と、背凭れ部３に設けられるランバーサポート部４と、を備える。以下においては、椅子についての一般的な方向の呼び方に倣い、起立姿勢の椅子Ｃ（図１、図２）を基準として、鉛直方向（Ｚ方向）を上下方向とよび、背凭れ部３の主面の法線方向（Ｘ方向）を前後方向とよび（ただし、背凭れ部３に対して座部２が配置されている側（＋Ｘ側）を前方とする）、上下方向および前後方向と直交する方向（Ｙ方向）を左右方向とよぶ。
【００２８】
脚部１は、複数の脚羽根１１を備える。複数の脚羽根１１は、放射状に配置され、各々の先端にキャスター１１１が設けられている。複数の脚羽根１１の中心には、脚支柱１２が、軸回りの回転自在に連結されている。脚支柱１２の上端には、座部２および背凭れ部３を支持するための支持部１３が設けられている。脚支柱１２は、内部にガススプリング（図示省略）が組み込まれており、これを操作することで脚支柱１２が伸縮し、その上端に設けられた支持部１３が昇降する。支持部１３には、座部２および背凭れ部３をシンクロロッキングさせるためのシンクロロッキング機構が設けられている（図示省略）。また、支持部１３には、背凭れ部３の後傾に対して反力を生じさせるためのガススプリング式の反力機構、および、座部２の移動に対して反力を生じさせるためのガススプリング式の反力機構が設けられている（いずれも図示省略）。また、支持部１３の左側および右側には、肘掛け１４が設けられている。
【００２９】
座部２は、内部にクッションを備える座面２１と、これを支持する座受け２２と、を備える。上記の通り、座部２は、支持部１３によって、シンクロロッキング可能に支持されており、背凭れ部３の前後傾動作（いわゆるロッキング動作）と同調（シンクロ）して、姿勢変更される。具体的には、背凭れ部３が後方に傾動すると、座部２は、背凭れ部３の傾動角度に応じて、後方にスライドしつつ後端側が下方に沈み込むように、姿勢変更される。
【００３０】
背凭れ部３は、背枠３１と、これに取り付けられる張り材３２と、を備える。張り材３２は、メッシュ地により構成される。背枠３１は枠状の部材であり、下枠部分３１１において支持部１３に支持されている。下枠部分３１１の左右の各端部に連なって上方に延在する縦枠部分３１２は、下側部分が上方に向かうにつれてやや前方に傾斜し、一般的な着座者の腰部に相当する高さ（上下中央よりもやや下よりの高さ）の付近で滑らかなカーブを描き、その上側部分において、上方に向かうにつれて後方に傾斜するように、形成されている。上記の通り、支持部１３にはシンクロロッキング機構が設けられており、背枠３１は前後傾動作を行えるようになっている。
【００３１】
背枠３１の下枠部分３１１には、その左右中央に、プレート収容部３１１１が設けられている。プレート収容部３１１１は、具体的には、下枠部分３１１の後面から浅く陥没した凹状の部分であり、上端縁が開口端縁とされていて、ここから、ネームプレート等の各種の表示プレートを差し込めるようになっている。プレート収容部３１１１の左右および下側の端縁は、後端側が内方に折れ曲がる断面Ｌ字状となっており、プレート収容部３１１１に収容された表示プレートは、その周縁が、該折れ曲がった部分に係止されることによって、プレート収容部３１１１から脱落しないようになっている。
【００３２】
ランバーサポート部４は、着座者の腰部を支えるための要素であり、背凭れ部３に設けられる。ランバーサポート部４の具体的な構成について、以下に説明する。
【００３３】
＜２．ランバーサポート部＞
ランバーサポート部４について、図１、図２に加え、図３〜図６を参照しながら説明する。図３は、ランバーサポート部４を後側から見た図である。図４は、ランバーサポート部４の側面図である。図５は、サポート部４２の着脱の態様を示す斜視図である。図６は、サポート部４２の着脱の態様を示す側面図である。
【００３４】
図３、図４に示されるように、ランバーサポート部４は、背凭れ部３の背面側（後面側）に設けられる支持部４１と、背凭れ部３の表面側（前面側）に露出して配置されるサポート部４２と、を備える。また、図４に示されるように、ランバーサポート部４は、サポート部４２の一部（本体部４２１）を支持部４１に対して上下に相対移動させるスライド部４３を備える。さらに、図５、図６に示されるように、サポート部４２は、支持部４１に対して着脱自在に構成されている。
【００３５】
＜支持部＞
支持部４１は、サポート部４２を支持する要素である。図５、図６等に示されるように、支持部４１は、矩形板状の被取付部４１１を備える。被取付部４１１の前面には、その各四隅の近傍に、磁石（支持部側磁石）４１２が設けられている。一方、被取付部４１１の後面には、これを覆うようにカバー部４１３が設けられている。カバー部４１３の後面には、左右に延在する平板状の取手部４１４が、後方に突出して設けられている。また、被取付部４１１の左右側面の各々からは、ベルト部４１５が延出して設けられている。被取付部４１１およびベルト部４１５は、一体成形技術などを用いて一体的に形成される。また、被取付部４１１およびベルト部４１５は、透明材料により形成される。
【００３６】
支持部４１は、左側のベルト部４１５の端部が、背枠３１の左側の縦枠部分３１２に取り付けられるとともに、右側のベルト部４１５の端部が、背枠３１の右側の縦枠部分３１２に取り付けられることで、一対の縦枠部分３１２，３１２の間に架け渡されるようにして設けられる。
【００３７】
ここで、ベルト部４１５の端部を縦枠部分３１２に取り付ける態様について、図７、図８を参照しながら具体的に説明する。図７は、ベルト部４１５の背枠３１に対する取り付けの態様を説明するための図であり、このうち、図７（ａ）は、縦枠部分３１２、および、ここに取り付けられたベルト部４１５を前方から見た図であり、図７（ｂ）は、図７（ａ）の矢印Ａ方向から見た断面図である。図８は、支持部４１の取り付け位置を変更する態様を説明するための図である。ただし、図を分かりやすくするために、図７、図８では、サポート部４２が取り外された状態で示されている。また、図７（ａ）では張り材３２の図示が省略されている。
【００３８】
図７（ｂ）に示されるように、ベルト部４１５の先端には、後方側に折れ曲がり、さらに内方側に折れ曲がった、略Ｕ字状の折り返し部分４１５１が形成されている。また、ベルト部４１５における該後方側に折れ曲がった部分には、凸部４１５２が形成されている。一方、図７（ａ）に示されるように、縦枠部分３１２の延在途中には、前面側に開口する溝部３１２１が、縦枠部分３１２の左右の略中央に上下に延在して形成されている。縦枠部分３１２における、溝部３１２１の内方側の側壁をなす部分には、凹状の段差部３１２２が形成されている。また、溝部３１２１の内部には、内方側の側壁から溝部３１２１の中心側に向けて、溝部３１２１の開口幅を狭くするように突設された係止部３１２３が形成されている。さらに、溝部３１２１の外方側の側壁には、複数の凹部３１２４が、上下に間隔を設けつつ形成される。
【００３９】
ベルト部４１５は、その端部付近が段差部３１２２に収容され、その先にある折り返し部分４１５１が溝部３１２１に収容されるとともに、折り返し部分４１５１における内方側に折れ曲がった部分が係止部３１２３に係止された状態とされる。これによって、ベルト部４１５の端部が、縦枠部分３１２から抜け落ちないように係止される。さらにこの状態において、折り返し部分４１５１に形成されている凸部４１５２が、複数の凹部３１２４のいずれかの内部に収容された状態とされることによって、ベルト部４１５が上下方向に位置ずれを生じないように係止される。
【００４０】
なお、縦枠部分３１２の後面には、張り材３２の端縁を収納する収容溝３１２５が設けられている。張り材３２は、端縁が収容溝３１２５に収容されるとともに、縦枠部分３１２の外方側から前面側に巻回されて、支持部４１の前側に張設される。つまり、支持部４１は、張り材３２の後面側に配置される。
【００４１】
図８に示されるように、支持部４１は、左右のベルト部４１５の各端部が縦枠部分３１２に取り付けられることで、一対の縦枠部分３１２，３１２の間に架け渡されるようにして設けられる。この状態から、椅子Ｃの使用者等が、取手部４１４等を掴んでこれを上下に移動させると、左右のベルト部４１５の各端部において、凸部４１５２と凹部３１２４の係合が解除され、折り返し部分４１５１が溝部３１２１に収容された状態のまま溝部３１２１に沿って移動する。つまり、支持部４１が、張り材３２の後面に沿って上下に移動する。そして、左右のベルト部４１５の各端部において凸部４１５２がいずれかの凹部３１２４と係合すると、支持部４１はその高さにおいて、上下に位置ずれを生じないように規制された状態となる。
【００４２】
このように、この椅子Ｃでは、支持部４１の背凭れ部３に対する取付け位置（高さ）を変更することができるように構成されている。したがって、使用者は、自分の腰部の高さに対応する位置に支持部４１を取り付けることによって、これに支持されるサポート部４２が自分の腰部に応じた高さにくるように調整することができる。また、ここでは、凸部４１５２および複数の凹部３１２４によって、いわゆるクリックストップ機構が構成されており、支持部４１は任意の取り付け位置において、位置ずれを生じないように位置規制される。
【００４３】
＜サポート部＞
再び図３〜図６を参照する。サポート部４２は、背凭れ部３の表面側（前面側）に露出して設けられる要素であり、本体部４２１と、その背面側（後面側）に設けられる取付部４２２と、を備える。本体部４２１は、着座者と接触する部分であり、ベース板４２１１の前方にクッション等が設けられた構成を備えている。取付部４２２は、支持部４１の被取付部４１１と略同一形状の板状部材であり、その後面の各四隅の近傍に、磁石（サポート部側磁石）４２３が設けられている。すなわち、各サポート部側磁石４２３は、被取付部４１１の前面に設けられている各支持部側磁石４１２と対応する位置に配置される。
【００４４】
取付部４２２の後面が、張り材３２を挟んで、支持部４１の被取付部４１１と対向配置されると、両磁石４１２，４２３が互いに引き付けあい、その磁力によって取付部４２２と被取付部４１１とが連結される。これによって、サポート部４２が支持部４１に支持される。ここでは、サポート部４２が磁石４１２，４２３の磁力によって支持部４１に支持されるので、図５、図６に示されるように、椅子Ｃの使用者は、サポート部４２を椅子Ｃに対して自由に着脱することができ、サポート部４２が不要な場合はこれを椅子Ｃから取り外しておくことができる。
【００４５】
＜スライド部＞
スライド部４３について図３〜図６に加え、図９〜図１２を参照しながら説明する。図９は、サポート部４２を後側から見た斜視図である。図１０は、サポート部４２の分解図である。図１１は、本体部４２１が取付部４２２に対して上下に相対移動する様子を示す図である。図１２は、付勢部４３４を説明するための模式図である。
【００４６】
スライド部４３は、着座者の前後傾動作に応じて、本体部４２１を取付部４２２に対して上下に相対移動させる機構である。上記の通り、取付部４２２と支持部４１は、磁石４１３，４２３の磁力によって、互いの位置関係が変更されない状態で連結されている。したがって、本体部４２１が取付部４２２に対して上下に相対移動されることによって、本体部４２１が支持部４１に対して、上下に相対移動されることになる。
【００４７】
スライド部４３は、本体部４２１の後面に設けられた一対のスリット４３１，４３１を備える。各スリット４３１は、上下に延在する細長い開口であり、本体部４２１の後面を形成するベース板４２１１に設けられる。
【００４８】
また、スライド部４３は、取付部４２２の前面に設けられた一対の係合部４３２，４３２を備える。各係合部４３２は、各スリット４３１に係止されつつその延在方向にスライド自在に設けられる。具体的には、各係合部４３２は、スリット４３１の幅よりも小径である軸部４３２１と、その先端に設けられた、スリット４３１の幅よりも大径であるフランジ部４３２２と、を備えており、軸部４３２１がスリット４３１内に挿通されるとともに、フランジ部４３２２がベース板４２１１の前方側（すなわち、本体部４２１の内部）に配置されてスリット４３１の周囲に係止される。これによって、係合部４３２は、スリット４３１から抜け落ちることなく、スリット４３１の延在方向（すなわち、上下方向）にスライドできるようになっている。
【００４９】
図１１に示されるように、取付部４２２に設けられた一対の係合部４３２，４３２が、本体部４２１に設けられた一対のスリット４３１，４３１にそれぞれ係止されつつ、その延在方向にスライドすることによって、本体部４２１が取付部４２２に対して、上下に相対移動する。したがって、椅子Ｃの着座者が、腰部において本体部４２１と接触しつつ、前後傾動作を行ったときに、腰部と本体部４２１の間の摩擦力によって、本体部４２１が、着座者の該動作に応じて（具体的には、該動作を行う着座者の腰部に追従するように）、取付部４２２（ひいては、支持部４１）に対して相対移動する。
【００５０】
なお、ここでは、ベース板４２１１の後面における一対のスリット４３１，４３１の間の位置に、上下に延在する細長い凸条４３３が設けられている。凸条４３３は、左右縁から中心に近づくにつれて突出寸法が大きくなる略山形状を呈している。したがって、取付部４２２は、凸条４３３の左右の中心線付近において、本体部４２１と線接触する。このように、取付部４２２と本体部４２１の接触面積が小さいものとされることによって、両部材４２１，４２２の間に生じる摩擦が十分に小さなものとなり、両部材４２１，４２２がスムーズに上下に相対移動することができる。
【００５１】
スライド部４３は、本体部４２１の取付部４２２に対する相対位置を基準位置に復帰させる方向に付勢する付勢部４３４をさらに備える。付勢部４３４は、図１２に示されるように、例えば、本体部４２１の内部において、各係合部４３２を上下に挟むように設けられた、一対のコイルバネ４３４１，４３４１を含んで構成される。上側のコイルバネ４３４１は、下端において、係合部４３２と接続され、上端において、本体部４２１のベース板４２１１の前面側におけるスリット４３１の上端縁よりも上側の位置に接続される。また、下側のコイルバネ４３４１は、上端において、該係合部４３２と接続され、下端において、ベース板４２１１の前面側におけるスリット４３１の下端縁よりも下側の位置に接続されている。
【００５２】
各コイルバネ４３４１は、係合部４３２が所定の基準位置（例えば、スリット４３１の上下中央の位置）に配置された状態（図１２（ａ））において、自然長となっている。したがって、係合部４３２が基準位置よりも例えば上方に配置されると（図１２（ｂ））、上側のコイルバネ４３４１が自然長より圧縮されるとともに下側のコイルバネ４３４１が自然長より伸長され、係合部４３２（ひいては、取付部４２２）に対して下向きの弾性力（見方を変えると、本体部４２１に対して上向きの弾性力）が発生する。つまり、本体部４２１の取付部４２２に対する相対位置を、基準位置に復帰させる方向の弾性力が、発生する。この弾性力を受けて、本体部４２１が取付部４２２に対して相対的に移動して、基準位置に復帰する（図１２（ａ））。ただし、本体部４２１が着座者の腰部に追従して基準位置から上方あるいは下方に移動する動作が付勢部４３１の付勢力によって妨げられないように、各コイルバネ４３４１のばね定数等が適宜に選択されている。
【００５３】
＜３．ランバーサポート部の動作＞
ランバーサポート部４の動作について、図１〜図４に加え、図１３、図１４を参照しながら説明する。図１３および図１４は、ランバーサポート部４の動作を説明するための模式図である。
【００５４】
上記の通り、ランバーサポート部４においては、背凭れ部３の後面側に設けられた支持部４１によって、背凭れ部３の前面側に露出して配置されるサポート部４２が支持されている。そして、座部２に座った着座者Ｐの腰部に、サポート部４２の本体部４２１が直に接触するようになっている（図１３（ａ））。なお、上記の通り、椅子Ｃの使用者は、本体部４２１が自分の腰部に応じた高さにくるように、支持部４１の背凭れ部３に対する取付け位置（高さ）を予め調整することができる（図８参照）。
【００５５】
通常姿勢にある着座者Ｐ（図１３（ａ））が、背凭れ部３にもたれかかって後傾動作を行うと、背凭れ部３が、後方に傾動する（図１３（ｂ））。このとき、シンクロロッキング機構によって、座部２が、後方にスライドしつつ後端側が下方に沈み込むように姿勢変更され、着座者Ｐの腰部は、背凭れ部３に対して相対的に下方に位置ずれする。ここで、ランバーサポート部４にはスライド部４３が設けられており、着座者Ｐが後傾動作を行ったときに、本体部４２１が、着座者Ｐの腰部に追従して、支持部４１に対して下方に移動する（図１３（ｂ）の矢印ＡＲ１）。このため、着座者Ｐが、後傾動作を行う際に、上衣のめくれ上がりやこすれ等といった不快感を覚えることがない。また、着座者Ｐは、常に腰部が支えられているという安心感を得ることができる。
【００５６】
また、後傾姿勢の着座者Ｐ（図１４（ａ））が、背凭れ部３にもたれかかったままで前傾動作を行うと（すなわち、後傾姿勢から起き上がって通常姿勢に復帰すると）、背凭れ部３が、前方に傾動する（図１４（ｂ））。このとき、シンクロロッキング機構によって、座部２が、前方にスライドしつつ後端側が上方に浮き上がるように姿勢変更され、着座者Ｐの腰部は、背凭れ部３に対して相対的に上方に位置ずれする。このとき、本体部４２１は、着座者Ｐの腰部に追従して、支持部４１に対して上方に移動する（図１４（ｂ）の矢印ＡＲ２）。したがって、このときも、着座者Ｐは、常に腰部が支えられているという安心感を得ることができる。
【００５７】
一方、後傾姿勢の着座者Ｐが、一時的に本体部４２１から離れつつ上体を起こして通常姿勢に復帰した場合、背凭れ部３は着座者Ｐに遅れて前方に傾動する。このときは、本体部４２１は、着座者Ｐの腰部に追従することによってではなく、付勢部４３４の付勢力を受けることによって、支持部４１に対して上方に移動して、通常姿勢の着座者Ｐの腰部を適切に支える基準位置に復帰する（図１２参照）。したがって、着座者Ｐが意識せずとも、本体部４２１が常に適切な位置に配置されることになる。
【００５８】
＜４．効果＞
上記の実施形態によると、ランバーサポート部４が、背凭れ部３の表面側に露出して設けられたサポート部４２と、背凭れ部３に設けられた、サポート部４２を支持する支持部４１と、を備える。さらに、ランバーサポート部４は、着座者Ｐの前後傾動作に応じて、サポート部４２における着座者Ｐと接触する部分である本体部４２１を、支持部４１に対して上下に相対移動させるスライド部４３を備える。この構成によると、着座者Ｐが前後傾動作を行ったときに、サポート部４２の本体部４２１が、着座者Ｐに追従して、支持部４１に対して上下に相対移動する。このため、着座者Ｐが、前後傾動作を行う際に、上衣のめくれ上がりやこすれ等といった不快感を覚えることがないばかりか、常に腰部が支えられているという安心感を得ることができる。また、支持部４１が背凭れ部３に対して位置ずれを起こして落下するといった事態も生じない。したがって、着座者Ｐは快適な使用感を得ることができる。
【００５９】
特に、上記の実施形態によると、サポート部４２（具体的には、取付部４２２）と支持部４１（具体的には、被取付部４１１）の各々に設けられた磁石４２３，４１２を備える。そして、サポート部４２と支持部４１とが、背凭れ部３を挟んで対向配置されて、両磁石４２３，４１２の磁力によって互いに連結される。この構成によると、サポート部４２が、背凭れ部３に設けられた支持部４１に対して、磁石４２３，４１２の磁力によって連結され、これによってサポート部４２が支持部４１に支持されるので、サポート部４２を椅子Ｃに対して自由に着脱することができる。
【００６０】
特に、上記の実施形態によると、サポート部４２が、着座者と接触するように設けられた本体部４２１と、本体部４２１と支持部４１の間に介在し、支持部４１と連結される取付部４２２と、を備える。そして、スライド部４３が、本体部４２１を取付部４２２に対して上下に相対移動させる。この構成によると、本体部４２１が取付部４２２に対して上下に相対移動することによって、本体部４２１が支持部４１に対して上下に相対移動する。したがって、スライド部４３を実現するための構成を、サポート部４２に完結的に設けることができる（すなわち、サポート部４２から支持部４１に跨がって設ける必要がない）ので、ランバーサポート部４および背凭れ部３の構成を簡易なものとすることができる。
【００６１】
特に、上記の実施形態によると、スライド部４３が、本体部４２１の取付部４２２に対する相対位置を基準位置に復帰させる方向に付勢する付勢部４３４を備える。この構成によると、例えば後傾姿勢にあった着座者Ｐが、一時的に本体部４２１から離れつつ上体を起こした場合等に、本体部、すなわち、着座者Ｐに追従することによって基準位置からずれた位置に移動していた本体部４２１が、付勢部４３４の付勢力を受けて基準位置に復帰する。したがって、着座者Ｐが意識せずとも、本体部４２１が常に適切な位置に配置されることとなり、着座者Ｐの使用感がさらに向上する。
【００６２】
特に、上記の実施形態によると、支持部４１の背凭れ部３に対する取付け位置を変更することができる。この構成によると、着座者Ｐの腰の位置に応じた適宜の位置に支持部４１を取り付けることができるので、着座者Ｐの体格に応じた位置にランバーサポート部４を配置することができる。したがって、どのような体格の着座者Ｐにも、快適な使用感を与えることができる。
【００６３】
＜５．変形例＞
（第１変形例）
上記の実施形態において、取付部４２２の支持部４１に対する相対位置を規制する位置規制部を設けてもよい。図１５には、取付部４２２と支持部４１の間に位置規制部４４が設けられたランバーサポート部４ａが示されている。ここに示されるように、位置規制部４４は、例えば、取付部４２２の後面の各四隅の近傍に設けられた凸部４４１と、被取付部４１１の各四隅の近傍に設けられた、凸部４４１の先端を収容可能な凹部４４２と、を含んで構成することができる。このような構成において、取付部４２２に設けられた各凸部４４１の先端が、被取付部４１１に設けられた各凹部４４２に収容された状態とされることによって、取付部４２２が、被取付部４１１、ひいては、支持部４１に対してその面方向に位置ずれしないように位置規制される。これにより、本体部４２１が取付部４２２に対して上下に相対移動したとき等に、本体部４２１に追従して取付部４２２が支持部４１に対して位置ずれを生じる、といった事態を回避することができる。
【００６４】
（第２変形例）
上記の実施形態においては、支持部４１に設けられた支持部側磁石４１２とサポート部４２に設けられたサポート部側磁石４２３とが引き付けあうことによって、サポート部４２が支持部４１に支持されていたが、サポート部４２を支持部４１に支持させる態様はこれに限らない。例えば、図１６に示されるランバーサポート部４ｂのように、ボルト４５を、被取付部４１１の各四隅の近傍に設けられた挿通孔、および、張り材３２の対応する位置に設けられた貫通孔に次々と挿通させて、取付部４２２の各四隅の近傍に設けられたボルト穴に螺合させつつ締め込むことによって、取付部４２２と被取付部４１１の間に連結構造を形成し、これによってサポート部４２が支持部４１に支持されるものとしてもよい。
【００６５】
（第３変形例）
また、上記の実施形態においては、スライド部４３は、本体部４２１を取付部４２２に対して上下に相対移動させることによって、本体部４２１を支持部４１に対して相対移動させるものであったが、スライド部の構成はこれに限らない。図１７には、別の態様に係るスライド部４３ｃを備えるランバーサポート部４ｃが示されている。
【００６６】
ランバーサポート部４ｃは、背凭れ部３ｃの前面側に露出して配置されるサポート部４２ｃを備える。サポート部４２ｃは、上記の実施形態に係る本体部４２１と同様の本体部４２１ｃを備える。このランバーサポート部４ｃが設けられる背凭れ部３ｃは中空状であり、その前面に一対のスリット４３１ｃ，４３１ｃが設けられる。各スリット４３１ｃは、上下に延在する細長い開口であり、背凭れ部３ｃの前面を構成する前板部分３１ｃに形成される。一方、本体部４２１ｃの後面には、一対の係合部４３２ｃ，４３２ｃが、一対のスリット４３１ｃ，４３１ｃと対応する位置に形成される。各係合部４３２ｃは、スリット４３１ｃの幅よりも小径である軸部４３２１ｃと、その先端に設けられた、スリット４３１ｃの幅よりも大径であるフランジ部４３２２ｃと、を備えており、軸部４３２１ｃがスリット４３１ｃ内に挿通されるとともに、フランジ部４３２２ｃが前板部分３１ｃの後方側（すなわち、背凭れ部３ｃの内部空間）に配置されて、スリット４３１ｃの周囲に係止される。これによって、係合部４３２ｃは、スリット４３１ｃから抜け落ちることなく、スリット４３１ｃの延在方向（すなわち、上下方向）にスライドできるようになっている。
【００６７】
各係合部４３２ｃと前板部分３１ｃの間には、一対のコイルバネ４３４１ｃ，４３４１ｃが設けられている。上側のコイルバネ４３４１ｃは、下端において、係合部４３２ｃと接続され、上端において、前板部分３１ｃの後面側におけるスリット４３１ｃの上端縁よりも上側の位置に接続される。また、下側のコイルバネ４３４１ｃは、上端において、該係合部４３２ｃと接続され、下端において、前板部分３１ｃの後面側におけるスリット４３１ｃの下端縁よりも下側の位置に接続されている。各コイルバネ４３４１ｃは、係合部４３２ｃが所定の基準位置（例えば、スリット４３１ｃの上下中央の位置）に配置された状態において、自然長となっている。
【００６８】
この構成においては、各係合部４３２ｃが、スリット４３１ｃに係止されるとともに、一対のコイルバネ４３４１ｃ，４３４１ｃを介して前板部分３１ｃと連結されることによって、サポート部４２ｃが背凭れ部３ｃに支持される。つまり、ここでは、一対のスリット４３１ｃ，４３１ｃおよび各コイルバネ４３４１ｃが、サポート部４２ｃを支持する支持部４１ｃとしての役割を担う。また、一対の係合部４３２ｃ，４３２ｃが、一対のスリット４３１ｃ，４３１ｃにそれぞれ係止されつつ、その延在方向にスライドすることによって、サポート部４２ｃが支持部４１ｃに対して上下に相対移動する。つまり、ここでは、一対のスリット４３１ｃ，４３１ｃおよび一対の係合部４３２ｃ，４３２ｃが、サポート部４２ｃを支持部４１ｃに対して上下に相対移動させるスライド部４３ｃとしての役割を担う。さらに、各コイルバネ４３４１ｃは、本体部４２１ｃの背凭れ部３ｃに対する相対位置を基準位置に復帰させる方向に付勢する付勢部４３４ｃとしての役割を担う。
【００６９】
このような構成においても、上記の実施形態と同様、着座者が前後傾動作を行ったときに、スライド部４３ｃが、着座者の該動作に応じて（具体的には、該動作を行う着座者の腰部に追従するように）、本体部４２１ｃを支持部４１ｃに対して相対移動させる。したがって、着座者は快適な使用感を得ることができる。
【００７０】
（他の変形例）
上記の実施形態においては、取付部４２２にサポート部側磁石４２３が、被取付部４１１に支持部側磁石４１２が、それぞれ設けられていて、両磁石４２３，４１２が引き付けあうことによって、サポート部４２が支持部４１に支持されていたが、取付部４２２と被取付部４１１のうちの一方のみに磁石を設け、他方の部材を、鉄等の強磁性体材料から形成してもよい。
【００７１】
また、上記の実施形態においては、スライド部４３は、取付部４２２に設けられた一対の係合部４３２，４３２が、本体部４２１に設けられた一対のスリット４３１，４３１に係止されつつその延在方向にスライドする構成を備えていたが、スライド部４３の構成はこれに限らない。例えば、取付部４２２あるいは本体部４２１の一方に、上下に延在する一対のレールを設け、他方に、一対のベアリング部材を固定し、各ベアリング部材が各レールに係合しつつこれに沿って滑らかに移動することによって、本体部４２１を取付部４２２に対して上下に相対移動させるものであってもよい。また例えば、上記の実施形態に係るスライド部４３において、各係合部４３２を本体部４２１に設け、各スリット４３１を取付部４２２に設けてもよい。また、上記の実施形態に係るスライド部４３において、本体部４２１に形成されていた凸条４３３を、取付部４２２の前面に設けてもよい。あるいは、凸条４３３を設けなくともよい。
【００７２】
また、上記の実施形態では、支持部４１の背凭れ部３に対する取付け位置を変更できるように構成されていたが、支持部は、背凭れ部に対して固定的に設けられてもよい。
【００７３】
また、上記の実施形態では、座部２および背凭れ部３をシンクロロッキングさせるためのシンクロロッキング機構が設けられていたが、本発明は、シンクロロッキング機構を備えない椅子に適用してもよい。例えば、本発明は、座部を姿勢変更させずに、背凭れ部だけをロッキングさせる機構（いわゆる、背ロッキング機構）を備える椅子、座部と背凭れ部を同角度で姿勢変更させる機構（いわゆる、背・座ロッキング機能）を備える椅子、座部と背凭れ部がいずれも固定されていて姿勢変更されない椅子、等に適用してもよい。どのようなタイプの椅子であっても、着座者が背凭れにもたれかかって後傾動作等を行ったとき、着座者の腰部は背凭れに対して多少なりとも位置ずれを生じるため、本発明は有効に機能する。
【００７４】
また、上記の実施形態および各変形例における各部の具体的な形状、仕様、その他の詳細な構成等は、本発明の趣旨を逸脱しない範囲で種々の変形が可能である。また、実施形態および各変形例に係る構成を適宜に組み合わせてもよいことはいうまでもない。
【符号の説明】
【００７５】
Ｃ    椅子
１  脚部
２  座部
３  背凭れ部
３１  背枠
３１１  下枠部分
３１２  縦枠部分
３２  張り材
４  ランバーサポート部
４１  支持部
４１１  被取付部
４１２  磁石（支持部側磁石）
４１３  カバー部
４１４  取手部
４１５  ベルト部
４２  サポート部
４２１  本体部
４２２  取付部
４２３  磁石（サポート部側磁石）
４３  スライド部
４３１  スリット
４３２  係合部
４３３  凸条
４３４  付勢部
４３４１  コイルバネ
４４  位置規制部
【図１】
2020089693.tif 000003
【図２】
2020089693.tif 000004
【図３】
2020089693.tif 000005
【図４】
2020089693.tif 000006
【図５】
2020089693.tif 000007
【図６】
2020089693.tif 000008
【図７】
2020089693.tif 000009
【図８】
2020089693.tif 000010
【図９】
2020089693.tif 000011
【図１０】
2020089693.tif 000012
【図１１】
2020089693.tif 000013
【図１２】
2020089693.tif 000014
【図１３】
2020089693.tif 000015
【図１４】
2020089693.tif 000016
【図１５】
2020089693.tif 000017
【図１６】
2020089693.tif 000018
【図１７】
2020089693.tif 000019